(57)【特許請求の範囲】
【請求項１】
第１内側面及び前記第１内側面に対向する第２内側面の間に、手を洗浄及び乾燥するための空間を形成する本体と、
前記空間の第１高さにある物体の存在を検出する第１センサと、
前記空間の第２高さにある物体の存在を検出する第２センサと、
前記空間の前記第１高さに風を送る送風機と、
前記空間の前記第２高さに洗浄液を供給する洗浄液供給装置と、
前記送風機及び前記洗浄液供給装置を制御する制御装置と、
を備え、
前記本体は、
前記第１内側面及び前記第２内側面を繋ぐように設けられ、前記第１内側面の上端より低い第１側壁と、
前記第１側壁に対向し、前記第１側壁との間に前記空間を形成し、前記第１内側面の上端より低い第２側壁と、
を備え、
前記第２高さは、前記第１高さより低く、
前記第１側壁は、前記第１高さより低く且つ前記第２高さより高く、
前記第２側壁は、前記第１高さより低く且つ前記第２高さより高く、
前記制御装置は、前記第２センサによって物体の存在が検出されると前記洗浄液供給装置を駆動させて前記空間に洗浄液を供給し、前記第２センサによって物体の存在が検出されず且つ前記第１センサによって物体の存在が検出されると前記送風機を駆動させて前記空間に風を送る洗浄装置。
【請求項２】
前記空間の前記第１高さを照らす第１ランプと、
前記空間の前記第２高さを照らす第２ランプと、
を更に備え、
前記制御装置は、前記第２センサによって物体の存在が検出されると前記第２ランプを点灯させ、前記第２センサによって物体の存在が検出されず且つ前記第１センサによって物体の存在が検出されると前記第１ランプを点灯させる請求項１に記載の洗浄装置。
【請求項３】
前記空間の前記第１高さを照らす第１ランプと、
前記空間の前記第２高さを照らす第２ランプと、
を更に備え、
前記制御装置は、前記第２センサによって物体の存在が検出されると前記第２ランプを点灯させ、前記第２ランプを点灯させてから一定時間が経過すると、前記第２ランプを消灯させ且つ前記第１ランプを点灯させる請求項１に記載の洗浄装置。
【請求項４】
第１内側面及び前記第１内側面に対向する第２内側面の間に、手を洗浄及び乾燥するための空間を形成する本体と、
前記空間の第１高さにある物体の存在を検出する第１センサと、
前記空間の第２高さにある物体の存在を検出する第２センサと、
前記空間の前記第１高さに風を送る送風機と、
前記空間の前記第２高さに洗浄液を供給する洗浄液供給装置と、
前記送風機及び前記洗浄液供給装置を制御する制御装置と、
前記空間の前記第１高さを照らす第１ランプと、
前記空間の前記第２高さを照らす第２ランプと、
を備え、
前記第２高さは、前記第１高さより低く、
前記制御装置は、前記第２センサによって物体の存在が検出されると前記洗浄液供給装置を駆動させて前記空間に洗浄液を供給し、前記第２センサによって物体の存在が検出されず且つ前記第１センサによって物体の存在が検出されると前記送風機を駆動させて前記空間に風を送り、
前記制御装置は、前記第２センサによって物体の存在が検出されると前記第２ランプを点灯させ、前記第２センサによって物体の存在が検出されず且つ前記第１センサによって物体の存在が検出されると前記第１ランプを点灯させる洗浄装置。
【請求項５】
第１内側面及び前記第１内側面に対向する第２内側面の間に、手を洗浄及び乾燥するための空間を形成する本体と、
前記空間の第１高さにある物体の存在を検出する第１センサと、
前記空間の第２高さにある物体の存在を検出する第２センサと、
前記空間の前記第１高さに風を送る送風機と、
前記空間の前記第２高さに洗浄液を供給する洗浄液供給装置と、
前記送風機及び前記洗浄液供給装置を制御する制御装置と、
前記空間の前記第１高さを照らす第１ランプと、
前記空間の前記第２高さを照らす第２ランプと、
を備え、
前記第２高さは、前記第１高さより低く、
前記制御装置は、前記第２センサによって物体の存在が検出されると前記洗浄液供給装置を駆動させて前記空間に洗浄液を供給し、前記第２センサによって物体の存在が検出されず且つ前記第１センサによって物体の存在が検出されると前記送風機を駆動させて前記空間に風を送り、
前記制御装置は、前記第２センサによって物体の存在が検出されると前記第２ランプを点灯させ、前記第２ランプを点灯させてから一定時間が経過すると、前記第２ランプを消灯させ且つ前記第１ランプを点灯させる洗浄装置。
【請求項６】
第１内側面及び前記第１内側面に対向する第２内側面の間に、手を洗浄及び乾燥するための空間を形成する本体と、
前記空間の第１高さに風を送る送風機と、
前記空間の第２高さにある物体の存在を検出するセンサと、
前記空間の前記第２高さに洗浄液を供給する洗浄液供給装置と、
前記送風機及び前記洗浄液供給装置を制御する制御装置と、
前記空間の前記第１高さを照らす第１ランプと、
前記空間の前記第２高さを照らす第２ランプと、
を備え、
前記第２高さは、前記第１高さより低く、
前記制御装置は、前記センサによって物体の存在が検出されると前記洗浄液供給装置を駆動させて前記空間に洗浄液を供給し、前記センサによって物体の存在が検出されてから一定時間が経過すると、前記洗浄液供給装置を停止させ且つ前記送風機を駆動させて前記空間に風を送り、
前記制御装置は、前記センサによって物体の存在が検出されると前記第２ランプを点灯させ、前記センサによって物体の存在が検出されてから一定時間が経過すると前記第２ランプを消灯させ且つ前記第１ランプを点灯させる洗浄装置。
【請求項７】
前記洗浄液供給装置は、前記空間にミストを供給する請求項１から請求項６の何れか一項に記載の洗浄装置。
【発明の詳細な説明】
【技術分野】
【０００１】
この発明は、洗浄装置に関する。
【背景技術】
【０００２】
特許文献１に、トイレ等に設置される手乾燥装置が記載されている。特許文献１に記載された手乾燥装置には、手を乾かすための空間が形成される。手を洗った利用者は、この空間に手を入れる。すると、手に風が吹き付けられ、手を乾かすことができる。
【先行技術文献】
【特許文献】
【０００３】
【特許文献１】特開２００３−２３５７５７号公報
【発明の概要】
【発明が解決しようとする課題】
【０００４】
特許文献１に記載された装置は、手を乾かすためのものである。特許文献１に記載された装置で手を洗うことはできない。このため、利用者は手洗い場で手を洗い、手が濡れたままこの装置が設置されている場所まで移動しなければならない。移動中に手から水が滴り、床が濡れてしまうといった問題があった。
【０００５】
この発明は、上述のような課題を解決するためになされた。この発明の目的は、手の洗浄から乾燥まで行うことができる洗浄装置を提供することである。
【課題を解決するための手段】
【０００６】
この発明に係る洗浄装置は、第１内側面及び第１内側面に対向する第２内側面の間に、手を洗浄及び乾燥するための空間を形成する本体と、空間の第１高さにある物体の存在を検出する第１センサと、空間の第２高さにある物体の存在を検出する第２センサと、空間の第１高さに風を送る送風機と、空間の第２高さに洗浄液を供給する洗浄液供給装置と、送風機及び洗浄液供給装置を制御する制御装置と、を備える。本体は、第１内側面及び第２内側面を繋ぐように設けられ、第１内側面の上端より低い第１側壁と、第１側壁に対向し、第１側壁との間に空間を形成し、第１内側面の上端より低い第２側壁と、を備える。第２高さは、第１高さより低い。第１側壁は、第１高さより低く且つ第２高さより高い。
第２側壁は、第１高さより低く且つ第２高さより高い。制御装置は、第２センサによって物体の存在が検出されると洗浄液供給装置を駆動させて空間に洗浄液を供給し、第２センサによって物体の存在が検出されず且つ第１センサによって物体の存在が検出されると送風機を駆動させて空間に風を送る。
また、この発明に係る洗浄装置は、第１内側面及び第１内側面に対向する第２内側面の間に、手を洗浄及び乾燥するための空間を形成する本体と、空間の第１高さにある物体の存在を検出する第１センサと、空間の第２高さにある物体の存在を検出する第２センサと、空間の第１高さに風を送る送風機と、空間の第２高さに洗浄液を供給する洗浄液供給装置と、送風機及び洗浄液供給装置を制御する制御装置と、空間の第１高さを照らす第１ランプと、空間の第２高さを照らす第２ランプと、を備える。第２高さは、第１高さより低い。制御装置は、第２センサによって物体の存在が検出されると洗浄液供給装置を駆動させて空間に洗浄液を供給し、第２センサによって物体の存在が検出されず且つ第１センサによって物体の存在が検出されると送風機を駆動させて空間に風を送る。制御装置は、第２センサによって物体の存在が検出されると第２ランプを点灯させ、第２センサによって物体の存在が検出されず且つ第１センサによって物体の存在が検出されると第１ランプを点灯させる。
また、この発明に係る洗浄装置は、第１内側面及び第１内側面に対向する第２内側面の間に、手を洗浄及び乾燥するための空間を形成する本体と、空間の第１高さにある物体の存在を検出する第１センサと、空間の第２高さにある物体の存在を検出する第２センサと、空間の第１高さに風を送る送風機と、空間の第２高さに洗浄液を供給する洗浄液供給装置と、送風機及び洗浄液供給装置を制御する制御装置と、空間の第１高さを照らす第１ランプと、空間の第２高さを照らす第２ランプと、を備える。第２高さは、第１高さより低い。制御装置は、第２センサによって物体の存在が検出されると洗浄液供給装置を駆動させて空間に洗浄液を供給し、第２センサによって物体の存在が検出されず且つ第１センサによって物体の存在が検出されると送風機を駆動させて空間に風を送る。制御装置は、第２センサによって物体の存在が検出されると第２ランプを点灯させ、第２ランプを点灯させてから一定時間が経過すると、第２ランプを消灯させ且つ第１ランプを点灯させる。
また、この発明に係る洗浄装置は、第１内側面及び第１内側面に対向する第２内側面の間に、手を洗浄及び乾燥するための空間を形成する本体と、空間の第１高さに風を送る送風機と、空間の第２高さにある物体の存在を検出するセンサと、空間の第２高さに洗浄液を供給する洗浄液供給装置と、送風機及び洗浄液供給装置を制御する制御装置と、空間の第１高さを照らす第１ランプと、空間の第２高さを照らす第２ランプと、を備える。第２高さは、第１高さより低い。制御装置は、センサによって物体の存在が検出されると洗浄液供給装置を駆動させて空間に洗浄液を供給し、センサによって物体の存在が検出されてから一定時間が経過すると、洗浄液供給装置を停止させ且つ送風機を駆動させて空間に風を送る。制御装置は、センサによって物体の存在が検出されると第２ランプを点灯させ、センサによって物体の存在が検出されてから一定時間が経過すると第２ランプを消灯させ且つ第１ランプを点灯させる。
【発明の効果】
【０００７】
この発明に係る洗浄装置であれば、手の洗浄から乾燥まで行うことができる。
【図面の簡単な説明】
【０００８】
【図１】この発明の実施の形態１における洗浄装置の例を示す図である。
【図２】図１のＡ−Ａ断面を示す図である。
【図３】この発明の実施の形態１における洗浄装置の構成例を示す図である。
【図４】この発明の実施の形態１における洗浄装置の動作例を示すフローチャートである。
【図５】この発明の実施の形態１における洗浄装置の動作例を示すフローチャートである。
【図６】この発明の実施の形態１における洗浄装置の他の動作例を示すフローチャートである。
【図７】この発明の実施の形態１における洗浄装置の他の動作例を示すフローチャートである。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１は、この発明の実施の形態１における洗浄装置１の例を示す図である。図２は、図１のＡ−Ａ断面を示す図である。図３は、この発明の実施の形態１における洗浄装置１の構成例を示す図である。洗浄装置１は、例えばトイレ等に設置される。利用者は、洗浄装置１を使用することにより、手の洗浄から乾燥まで同じ場所で行うことができる。このため、洗浄装置１が設置されていれば、その場に手洗い場を別途設けなくても良い。
【００１１】
洗浄装置１は、例えば本体２、センサ３、センサ４、送風機５、ミスト発生器６、ランプ７、ランプ８、表示器９及び制御装置１０を備える。
【００１２】
本体２に、手を洗浄及び乾燥するための空間１１が形成される。本体２は、手前側の筐体部１２及び奥側の筐体部１３を備える。なお、手前側及び奥側は、利用者の立ち位置を基準とする。図２の左側が手前側であり、右側が奥側である。即ち、利用者が洗浄装置１を使用する場合、利用者は図２の左側に立って右側を向く。空間１１は、筐体部１２の奥側を向く内側面１２ａと筐体部１３の手前側を向く内側面１３ａとの間に形成される。内側面１３ａは、内側面１２ａに対向する。
【００１３】
利用者は、空間１１に上方から手を入れて、手の洗浄及び乾燥を行う。このため、空間１１は上方に開口する。図１及び図２は、空間１１が真上に開口する例を示す。これは一例である。空間１１は、手前側を向くように斜め上方に開口しても良い。手前側の筐体部１２の上端部に、利用者が腕を載せるための腕置き部１２ｂが形成される。
【００１４】
本体２は、側壁１４及び側壁１５を備える。側壁１４は、筐体部１２の内側面１２ａと筐体部１３の内側面１３ａとを繋ぐように設けられる。側壁１５は、側壁１４に対向する。側壁１５は、側壁１４と同様に、筐体部１２の内側面１２ａと筐体部１３の内側面１３ａとを繋ぐように設けられる。側壁１５は、側壁１４との間に空間１１を形成する。即ち、側壁１５は、空間１１を間に挟んで側壁１４に対向する。側壁１４は、内側面１２ａの上端、即ち筐体部１２の上端より低い。側壁１５は、側壁１４と同様に、内側面１２ａの上端より低い。このため、空間１１の下部は、筐体部１２、筐体部１３、側壁１４及び側壁１５によって四方が囲まれる。空間１１の上部は、筐体部１２及び筐体部１３に挟まれるが、側方に開口する。
【００１５】
センサ３は、空間１１の第１高さにある物体の存在を検出する。このため、利用者が空間１１の第１高さまで手を入れると、利用者の手の存在がセンサ３によって検出される。センサ３は、例えば非接触で物体の存在を検出する。センサ３として赤外線センサを採用しても良い。センサ３は、物体の存在を検出すると、検出信号を制御装置１０に出力する。第１高さは、例えば内側面１２ａの上端より低く、側壁１４の上端及び側壁１５の上端より高い高さに設定される。
【００１６】
センサ４は、空間１１の第２高さにある物体の存在を検出する。このため、利用者が空間１１の第２高さまで手を入れると、利用者の手の存在がセンサ４によって検出される。センサ４は、例えば非接触で物体の存在を検出する。センサ４として赤外線センサを採用しても良い。センサ４は、物体の存在を検出すると、検出信号を制御装置１０に出力する。第２高さは、第１高さより低い高さに設定される。第２高さは、例えば側壁１４の上端及び側壁１５の上端より低い高さに設定される。
【００１７】
送風機５は、空間１１に風を送る。利用者は、空間１１に入れた手に送風機５からの風を当てることにより、濡れた手を乾かすことができる。送風機５は、例えば空間１１の第１高さに向けて風を送る。図２は、送風機５からの風が吹き出される吹き出し口５ａがセンサ３の近傍に形成される例を示す。また、図２は、吹き出し口５ａが筐体部１３の内側面１３ａに形成される例を示す。吹き出し口５ａは、筐体部１２の内側面１２ａに形成されても良い。吹き出し口５ａは、内側面１２ａ及び内側面１３ａの双方に形成されても良い。
【００１８】
ミスト発生器６は、空間１１にミストを供給する。利用者は、空間１１に入れた手にミスト発生器６からのミストを当てることにより、手を洗うことができる。ミスト発生器６から供給するミストは、単なる水でも良い。水に消毒液を混ぜたものをミスト発生器６から空間１１に供給しても良い。冬季には、インフルエンザの予防対策としてアルコールのミストをミスト発生器６から空間１１に供給しても良い。ミスト発生器６は、例えば空間１１の第２高さに向けてミストを供給する。
【００１９】
図２は、ミスト発生器６からのミストが吹き出される吹き出し口６ａがセンサ４の近傍に形成される例を示す。また、図２は、吹き出し口６ａが筐体部１３の内側面１３ａに形成される例を示す。吹き出し口６ａは、筐体部１２の内側面１２ａに形成されても良い。吹き出し口６ａは、内側面１２ａ及び内側面１３ａの双方に形成されても良い。
【００２０】
ランプ７は、空間１１を照らす。例えば、ランプ７は空間１１の第１高さを照らす。ランプ７は、送風機５からの風が当たっている手が照らされるように空間１１に向けて光を放射する。
【００２１】
ランプ８は、空間１１を照らす。例えば、ランプ８は空間１１の第２高さを照らす。ランプ８は、ミスト発生器６からのミストが当たっている手が照らされるように空間１１に向けて光を放射する。
【００２２】
表示器９は、利用者に有用な情報を表示する。表示器９は、例えば奥側の筐体部１３の上面に設けられる。表示器９は、情報を報知する報知器の一例である。洗浄装置１は、報知器としてスピーカ等を備えても良い。洗浄装置１は、報知器として表示器９及びスピーカの双方を備えても良い。
【００２３】
制御装置１０は、洗浄装置１に備えられた機器を制御する。制御装置１０は、センサ３からの検出信号及びセンサ４からの検出信号に基づいて機器を制御する。例えば、制御装置１０は、送風機５を制御する。制御装置１０は、ミスト発生器６を制御する。制御装置１０は、ランプ７を制御する。制御装置１０は、ランプ８を制御する。制御装置１０は、表示器９を制御する。
【００２４】
以下に、図４及び図５も参照し、洗浄装置１の動作について詳細に説明する。図４及び図５は、この発明の実施の形態１における洗浄装置１の動作例を示すフローチャートである。図４は、送風機５及びミスト発生器６の動作例を示す。
【００２５】
制御装置１０は、センサ３によって物体の存在が検出されたか否かを判定する（Ｓ１０１）。センサ３の検出位置は、センサ４の検出位置より高い位置に設定される。このため、図４及び図５では、センサ３を上側センサと表記している。また、センサ４を下側センサと表記している。制御装置１０は、センサ３が物体の存在を検出していなければ、送風機５を停止させる。また、制御装置１０は、センサ３が物体の存在を検出していなければ、ミスト発生器６を停止させる（Ｓ１０２）。このため、センサ３が物体の存在を検出していなければ、空間１１に風は送られず、且つミストは供給されない。
【００２６】
利用者が空間１１に上方から手を入れると、手が第１高さに達した際にセンサ３によって物体の存在が検出される。センサ３によって物体の存在が検出されると、制御装置１０は、センサ４によって物体の存在が検出されたか否かを判定する（Ｓ１０３）。制御装置１０は、センサ４が物体の存在を検出していなければ、ミスト発生器６を停止させる（Ｓ１０４）。
【００２７】
制御装置１０は、センサ４が物体の存在を検出していなければ、センサ３が物体の存在を検出してから時間Ｔ１が経過したか否かを判定する（Ｓ１０５）。時間Ｔ１は予め設定される。時間Ｔ１は、例えば、利用者が空間１１に手を入れた際に、第１高さに配置された手が第２高さに達するまでに掛かる時間に基づいて設定される。例えば、時間Ｔ１は０．５秒に設定される。時間Ｔ１を他の値に設定しても良い。制御装置１０は、センサ３が物体の存在を検出してから時間Ｔ１が経過していなければ処理を終了する。利用者の手が第１高さに達した直後は、Ｓ１０５においてＮｏの判定がなされる。
【００２８】
制御装置１０は、極短い一定の周期で図４に示す処理を行う。利用者が手を洗うために第１高さから更に下方に腕を伸ばすと、例えば、センサ３が物体の存在を検出してから時間Ｔ１が経過する前に手が第２高さに達する。利用者の手が第２高さに達すると、センサ４によって物体の存在が検出される。制御装置１０は、センサ４によって物体の存在が検出されると（Ｓ１０３のＹｅｓ）、ミスト発生器６を駆動させる。これにより、吹き出し口６ａから空間１１にミストが供給される（Ｓ１０７）。利用者は、空間１１に供給されたミストで手を洗うことができる。
【００２９】
利用者は、手を洗い終えると、手を上方に移動させる。手が第２高さより上方に移動すると、センサ４によって物体の存在が検出されなくなる。制御装置１０は、センサ３が物体の存在を検出し且つセンサ４が物体の存在を検出していなければ（Ｓ１０３のＮｏ）、ミスト発生器６を停止させる（Ｓ１０４）。制御装置１０は、センサ３が物体の存在を検出し且つセンサ４が物体の存在を検出していなければ、センサ３が物体の存在を検出してから時間Ｔ１が経過したか否かを判定する（Ｓ１０５）。制御装置１０は、センサ４が物体の存在を検出せず且つセンサ３が物体の存在を検出してから時間Ｔ１が経過していれば、送風機５を駆動させる（Ｓ１０６）。これにより、吹き出し口５ａから空間１１に風が送られる。利用者は、空間１１に送られた風で手を乾燥させることができる。
【００３０】
図５は、ランプ７及びランプ８の動作例を示す。制御装置１０は、センサ３によって物体の存在が検出されたか否かを判定する（Ｓ２０１）。ランプ７が照らす範囲は、ランプ８が照らす範囲より高い位置に設定される。このため、図５から図７では、ランプ７を上側ランプと表記している。また、ランプ８を下側ランプと表記している。制御装置１０は、センサ３が物体の存在を検出していなければ、ランプ７を消灯させる。また、制御装置１０は、センサ３が物体の存在を検出していなければ、ランプ８を消灯させる（Ｓ２０２）。
【００３１】
利用者が空間１１に上方から手を入れると、手が第１高さに達した際にセンサ３によって物体の存在が検出される。センサ３によって物体の存在が検出されると、制御装置１０は、センサ４によって物体の存在が検出されたか否かを判定する（Ｓ２０３）。制御装置１０は、センサ４が物体の存在を検出していなければ、ランプ８を消灯させる（Ｓ２０４）。
【００３２】
制御装置１０は、センサ４が物体の存在を検出していなければ、センサ３が物体の存在を検出してから時間Ｔ１が経過したか否かを判定する（Ｓ２０５）。制御装置１０は、センサ３が物体の存在を検出してから時間Ｔ１が経過していなければ処理を終了する。利用者の手が第１高さに達した直後は、Ｓ２０５においてＮｏの判定がなされる。
【００３３】
制御装置１０は、極短い一定の周期で図５に示す処理を行う。利用者が手を洗うために第１高さから更に下方に腕を伸ばすと、例えば、センサ３が物体の存在を検出してから時間Ｔ１が経過する前に手が第２高さに達する。利用者の手が第２高さに達すると、センサ４によって物体の存在が検出される。制御装置１０は、センサ４によって物体の存在が検出されると（Ｓ２０３のＹｅｓ）、ランプ８を点灯させる（Ｓ２０７）。これにより、ミストで洗っている手をランプ８によって照らすことができる。
【００３４】
利用者は、手を洗い終えると、手を上方に移動させる。手が第２高さより上方に移動すると、センサ４によって物体の存在が検出されなくなる。制御装置１０は、センサ３が物体の存在を検出し且つセンサ４が物体の存在を検出していなければ（Ｓ２０３のＮｏ）、ランプ８を消灯させる（Ｓ２０４）。制御装置１０は、センサ３が物体の存在を検出し且つセンサ４が物体の存在を検出していなければ、センサ３が物体の存在を検出してから時間Ｔ１が経過したか否かを判定する（Ｓ２０５）。制御装置１０は、センサ４が物体の存在を検出せず且つセンサ３が物体の存在を検出してから時間Ｔ１が経過していれば、ランプ７を点灯させる（Ｓ２０６）。これにより、風で乾燥させている手をランプ７によって照らすことができる。
【００３５】
本実施の形態に示す洗浄装置１であれば、利用者は、手の洗浄から乾燥まで同じ場所で行うことができる。
【００３６】
本実施の形態に示す例では、側壁１４及び側壁１５が内側面１２ａの上端より低く設定される。このため、送風機５からの風を本体２の側方にも逃がすことができる。また、側壁１４及び側壁１５は、第２高さよりも高い位置まで延びている。このため、ミスト発生器６からのミストが本体２の側方に出てしまうことを側壁１４及び側壁１５によって抑制することができる。更に、側壁１４及び側壁１５は、第１高さよりも低い。このため、利用者は、本体２の側方から空間１１に手を入れれば、ミスト発生器６を動作させずに送風機５だけを動作させることができる。手に風だけを当てたい場合に有効である。
【００３７】
図４及び図５に示す時間Ｔ１の設定は任意である。例えば、図４のＳ１０５の処理は無くても良い。図５のＳ２０５の処理は無くても良い。図４のＳ１０５の処理及び図５のＳ２０５の処理を残した上で時間Ｔ１を０に設定しても良い。
【００３８】
本実施の形態に示す洗浄装置１では、利用者は、手を洗う高さと手を乾かす高さとの双方の高さに手を配置する必要がある。洗浄装置１には、筐体部１２の上端部に腕置き部１２ｂが形成されている。このため、利用者は、例えば手を乾かす時に腕置き部１２ｂに腕を置くことができる。
【００３９】
図６は、この発明の実施の形態１における洗浄装置１の他の動作例を示すフローチャートである。図６は、ランプ７及びランプ８の他の動作例を示す。制御装置１０は、ランプ７及びランプ８に対し、図５に示す動作フローに加えて図６に示す動作フローを行っても良い。例えば、制御装置１０は、ランプ８が点灯しているか否かを判定する（Ｓ３０１）。図５に示す動作フローでは、Ｓ２０３でＹｅｓの判定がなされるとランプ８が点灯する。即ち、センサ３が物体の存在を検出し且つセンサ４が物体の存在を検出している場合に、Ｓ３０１でＹｅｓの判定がなされる。
【００４０】
ランプ８が点灯していれば、制御装置１０は、ランプ８の点灯が開始されてから時間Ｔ２が経過したか否かを判定する（Ｓ３０２）。時間Ｔ２は予め設定される。時間Ｔ２は、利用者がミストで手を洗うために必要な時間に基づいて設定される。例えば、時間Ｔ２は５秒に設定される。時間Ｔ２を他の値に設定しても良い。制御装置１０は、ランプ８の点灯が開始されてから時間Ｔ２が経過していなければ処理を終了する。利用者の手が第２高さに達した直後は、Ｓ３０２においてＮｏの判定がなされる。かかる場合、ランプ８の点灯が継続される。
【００４１】
制御装置１０は、極短い一定の周期で図６に示す処理を行う。制御装置１０は、ランプ８の点灯が開始されてから時間Ｔ２が経過すると、ランプ８を消灯させる（Ｓ３０３）。また、制御装置１０は、ランプ８の点灯が開始されてから時間Ｔ２が経過すると、ランプ７を点灯させる（Ｓ３０４）。
【００４２】
図６に示す例であれば、利用者が空間１１の第２高さまで手を入れた後に一定の時間が経過すると、ランプ８が消灯してランプ７が点灯する。このため、利用者に対し、手を乾燥させるために手の位置を上にすることを促すことができる。なお、送風機５及びミスト発生器６に対しては、例えば図４に示す処理が行われる。このため、上記時間Ｔ２が経過した後も利用者が手を上方に移動させなければ、空間１１にミストが供給され続ける。このため、手をよく洗いたい利用者は、手を上方に移動させなければそのまま手の洗浄を続けることができる。
【００４３】
制御装置１０は、ランプ８の点灯が開始されてからの経過時間或いはランプ７が点灯するまでの残り時間を表示器９に表示させても良い。かかる構成であれば、利用者に対し、手を乾燥させるために手の位置を上にすることをランプ７及び表示器９の双方を用いて促すことができる。
【００４４】
図７は、この発明の実施の形態１における洗浄装置１の他の動作例を示すフローチャートである。図７は、送風機５、ミスト発生器６、ランプ７及びランプ８の他の動作例を示す。図７は、制御装置１０がセンサ３からの検出信号を利用しない例を示す。制御装置１０が図７に示す動作フローを行う場合、洗浄装置１はセンサ３を備えなくても良い。なお、制御装置１０は、極短い一定の周期で図７に示す処理を行う。
【００４５】
制御装置１０は、センサ４によって物体の存在が検出されたか否かを判定する（Ｓ４０１）。制御装置１０は、センサ４が物体の存在を検出していなければ、送風機５を停止させる。また、制御装置１０は、センサ４が物体の存在を検出していなければ、ミスト発生器６を停止させる。制御装置１０は、センサ４が物体の存在を検出していなければ、ランプ７及びランプ８を消灯させる（Ｓ４０２）。
【００４６】
利用者が空間１１に上方から手を入れると、手が第２高さに達した際にセンサ４によって物体の存在が検出される。センサ４によって物体の存在が検出されると、制御装置１０は、ミスト発生器６を駆動させる。これにより、吹き出し口６ａから空間１１にミストが供給される。利用者は、空間１１に供給されたミストで手を洗うことができる。また、制御装置１０は、センサ４によって物体の存在が検出されると、ランプ８を点灯させる（Ｓ４０３）。これにより、ミストで洗っている手をランプ８によって照らすことができる。
【００４７】
制御装置１０は、センサ４によって物体の存在が検出されると、センサ４が物体の存在を検出してから時間Ｔ３が経過したか否かを判定する（Ｓ４０４）。時間Ｔ３は予め設定される。時間Ｔ３は、例えば、利用者がミストで手を洗うために必要な時間に基づいて設定される。例えば、時間Ｔ３は５秒に設定される。時間Ｔ３を他の値に設定しても良い。
【００４８】
制御装置１０は、センサ４が物体の存在を検出してから時間Ｔ３が経過すると、ミスト発生器６を停止させる。制御装置１０は、センサ４が物体の存在を検出してから時間Ｔ３が経過すると、ランプ８を消灯させる（Ｓ４０５）。また、制御装置１０は、センサ４が物体の存在を検出してから時間Ｔ３が経過すると、送風機５を駆動させる。これにより、吹き出し口５ａから空間１１に風が送られる。利用者は、空間１１に送られた風で手を乾燥させることができる。制御装置１０は、センサ４が物体の存在を検出してから時間Ｔ３が経過すると、ランプ７を点灯させる（Ｓ４０６）。これにより、風で乾燥させている手をランプ７によって照らすことができる。
【００４９】
制御装置１０は、送風機５を駆動させると、送風機５の駆動を開始させてから時間Ｔ４が経過したか否かを判定する（Ｓ４０７）。時間Ｔ４は予め設定される。時間Ｔ４は、例えば、利用者が手を風で乾かすために必要な時間に基づいて設定される。例えば、時間Ｔ４は５秒に設定される。時間Ｔ４を他の値に設定しても良い。制御装置１０は、送風機５の駆動を開始させてから時間Ｔ４が経過すると、送風機５を停止させる。また、制御装置１０は、送風機５の駆動を開始させてから時間Ｔ４が経過すると、ランプ７を消灯させる（Ｓ４０８）。
【００５０】
図７に示す例であっても、利用者は、手の洗浄から乾燥まで同じ場所で行うことができる。洗浄装置１にセンサ３を備える必要がなく、構成を簡素化できる。
【００５１】
本実施の形態では、手の洗浄のために洗浄装置１がミスト発生器６を備える例について説明した。ミスト発生器６は、空間１１に洗浄液を供給する洗浄液供給装置の一例である。洗浄液供給装置は、洗浄液として流水を空間１１に供給しても良い。但し、ミスト発生器６のように空間１１にミストを供給すれば、少ない量で手の洗浄を行うことができる。
【００５２】
制御装置１０は、ハードウェア資源として、例えばプロセッサとメモリとを含む処理回路を備える。制御装置１０は、メモリに記憶されたプログラムをプロセッサによって実行することにより、上述した各機能を実現する。制御装置１０が有する各機能の一部又は全部をハードウェアによって実現しても良い。
【符号の説明】
【００５３】
１  洗浄装置、  ２  本体、  ３  センサ、  ４  センサ、  ５  送風機、  ５ａ  吹き出し口、  ６  ミスト発生器、  ６ａ  吹き出し口、  ７  ランプ、  ８  ランプ、  ９  表示器、  １０  制御装置、  １１  空間、  １２  筐体部、  １２ａ  内側面、  １２ｂ  腕置き部、  １３  筐体部、  １３ａ  内側面、  １４  側壁、  １５  側壁
【図１】
0006769103.tif 000002
【図２】
0006769103.tif 000003
【図３】
0006769103.tif 000004
【図４】
0006769103.tif 000005
【図５】
0006769103.tif 000006
【図６】
0006769103.tif 000007
【図７】
0006769103.tif 000008